(57)【要約】【課題】  固体に対して充分な洗浄性を有する液体洗浄剤組成物を提供すること。【解決手段】  アルカリ剤（Ａ）、界面活性剤（Ｂ）及び分散剤（Ｃ）からなる液体洗浄剤組成物であって、上記分散剤（Ｃ）は、少なくとも、下記式（１）で示される繰り返し単位及び下記式（２）で示される繰り返し単位からなる構造を有する重合体を含むことを特徴とする液体洗浄剤組成物。［化１］2018002881.tif 000008［Ｒ１〜Ｒ４は、それぞれ水素原子又は炭素数１〜９のアルキル基であり、Ｒ１〜Ｒ４の炭素数の合計は３〜９であり、Ｍは水素原子又はアルカリ金属である。］【選択図】  図１
2018002881.tif 000002
【特許請求の範囲】
【請求項１】
アルカリ剤（Ａ）、界面活性剤（Ｂ）及び分散剤（Ｃ）からなる液体洗浄剤組成物であって、
前記分散剤（Ｃ）は、少なくとも、下記式（１）で示される繰り返し単位及び下記式（２）で示される繰り返し単位からなる構造を有する重合体を含むことを特徴とする液体洗浄剤組成物。
【化１】
2018002881.tif 000007
［Ｒ１〜Ｒ４は、それぞれ水素原子又は炭素数１〜９のアルキル基であり、Ｒ１〜Ｒ４の炭素数の合計は３〜９であり、Ｍは水素原子又はアルカリ金属である。］
【請求項２】
さらにキレート剤（Ｄ）を含む請求項１に記載の液体洗浄剤組成物。
【請求項３】
前記界面活性剤（Ｂ）として、ノニオン界面活性剤を含む請求項１又は２に記載の液体洗浄剤組成物。
【請求項４】
前記界面活性剤（Ｂ）として、脂肪酸塩及びアルキルアミンオキシドからなる群から選択される少なくとも１種を含む請求項１〜３のいずれかに記載の液体洗浄剤組成物。
【請求項５】
水で１００倍に希釈した際の溶液のｐＨが１０．５〜１２．０である請求項１〜４のいずれかに記載の液体洗浄剤組成物。
【請求項６】
床用である請求項１〜５のいずれかに記載の液体洗浄剤組成物。
【請求項７】
セラミックタイル用である請求項１〜６のいずれかに記載の液体洗浄剤組成物。
【発明の詳細な説明】
【技術分野】
【０００１】
本発明は、液体洗浄剤組成物に関する。
【背景技術】
【０００２】
店舗等の床は、清潔性、安全性を確保するため、床用洗浄剤を用いて定期的に洗浄されている。従来から店舗等の床として、清掃・管理が容易な塩ビ等の樹脂製のタイルが用いられている。
【０００３】
樹脂製のタイルはその表面にワックス（フロアーポリッシュともいう）が塗られており、ワックス上に付着した汚れを洗浄し、かつ定期的にワックスを塗り替えることによりメンテナンスされている。
タイル（ワックス上）に付着する汚れは主に土砂汚れであり、これを洗浄するために、アルカリ剤及びキレート剤を主成分とする床用洗浄剤が用いられていた（特許文献１）。
【先行技術文献】
【特許文献】
【０００４】
【特許文献１】特開２００１−３１１０９３号公報
【発明の概要】
【発明が解決しようとする課題】
【０００５】
近年、樹脂製のタイルに変わって、セラミック製のタイル（セラミックタイルともいう）が多く用いられている。セラミックタイルは、樹脂製のタイルとは異なり、ワックスの塗替え等のメンテナンスが不要であり、耐久性が高く清掃管理が容易である。
しかしながら、セラミックタイルの表面には無数の細孔が形成されているため、樹脂製タイル向けの床用洗浄剤では、セラミックタイルの細孔に侵入した土砂汚れを容易に洗浄することができないという問題があった。
【０００６】
本発明は上記問題を解決するためになされたものであり、本発明の目的は、固体に対して充分な洗浄性を有する液体洗浄剤組成物を提供することである。
【課題を解決するための手段】
【０００７】
すなわち、本発明の液体洗浄剤組成物は、アルカリ剤（Ａ）、界面活性剤（Ｂ）及び分散剤（Ｃ）からなる液体洗浄剤組成物であって、上記分散剤（Ｃ）は、少なくとも、下記式（１）で示される繰り返し単位及び下記式（２）で示される繰り返し単位からなる構造を有する重合体を含むことを特徴とする。
【化１】
2018002881.tif 000003
［Ｒ１〜Ｒ４は、それぞれ水素原子又は炭素数１〜９のアルキル基であり、Ｒ１〜Ｒ４の炭素数の合計は３〜９であり、Ｍは水素原子又はアルカリ金属である。］
【０００８】
本発明の液体洗浄剤組成物は、アルカリ剤（Ａ）、界面活性剤（Ｂ）及び分散剤（Ｃ）からなり、分散剤（Ｃ）として少なくとも上記式（１）で示される繰り返し単位及び上記式（２）で示される繰り返し単位からなる構造を有する重合体を含む。
上記式（１）で示される繰り返し単位及び上記式（２）で示される繰り返し単位からなる構造を有する重合体は、土砂汚れに対して高い分散性と再付着防止性を有するため、一度セラミックタイルの細孔から取り除かれた土砂が、再び細孔内に取り込まれてしまうことを防止することができる。そのため、表面に細孔を有するセラミックタイルの土砂汚れに対しても、優れた洗浄性を有する。
【０００９】
本発明の液体洗浄剤組成物は、さらにキレート剤（Ｄ）を含むことが望ましい。
本発明の液体洗浄剤組成物がさらにキレート剤（Ｄ）を含むと、洗浄力を向上させることができる。
【００１０】
本発明の液体洗浄剤組成物において、上記界面活性剤（Ｂ）として、ノニオン界面活性剤を含むことが望ましい。
界面活性剤（Ｂ）がノニオン界面活性剤を含むと、より洗浄力を向上させることができる。また、液体洗浄剤組成物の洗浄対象物に対する濡れ性を向上させることができる。
【００１１】
本発明の液体洗浄剤組成物において、上記界面活性剤（Ｂ）として、脂肪酸塩及びアルキルアミンオキシドからなる群から選択される少なくとも１種を含むことが望ましい。
界面活性剤（Ｂ）として上記化合物を含むと、液体洗浄剤組成物の破泡性を向上させることができる。
【００１２】
本発明の液体洗浄剤組成物は、水で１００倍に希釈した際の溶液のｐＨが１０．５〜１２．０であることが望ましい。
【００１３】
本発明の液体洗浄剤組成物は、床用であることが望ましい。
本発明の液体洗浄剤組成物は、固体表面の土砂汚れの洗浄性に優れるため、土砂汚れの付着しやすい床用の洗浄剤として好適に用いることができる。
【００１４】
本発明の液体洗浄剤組成物は、セラミックタイル用であることが望ましい。
本発明の液体洗浄剤組成物は、洗浄力及び再付着防止性に優れ、セラミックタイルの細孔に侵入した土砂汚れを洗浄することができるため、セラミックタイル用の洗浄剤として好適に用いることができる。
【発明の効果】
【００１５】
本発明の液体洗浄剤組成物は、固体に対して充分な洗浄性を有する。
【図面の簡単な説明】
【００１６】
【図１】図１は、実施例１に係る液体洗浄剤組成物の分散性試験の写真である。
【図２】図２は、比較例１に係る液体洗浄剤組成物の分散性試験の写真である。
【発明を実施するための形態】
【００１７】
本発明の液体洗浄剤組成物は、アルカリ剤（Ａ）、界面活性剤（Ｂ）及び分散剤（Ｃ）からなる液体洗浄剤組成物であって、上記分散剤（Ｃ）は、少なくとも、下記式（１）で示される繰り返し単位及び下記式（２）で示される繰り返し単位からなる構造を有する重合体を含むことを特徴とする。
【化２】
2018002881.tif 000004
［Ｒ１〜Ｒ４は、それぞれ水素原子又は炭素数１〜９のアルキル基であり、Ｒ１〜Ｒ４の炭素数の合計は３〜９であり、Ｍは水素原子又はアルカリ金属である。］
【００１８】
本発明の液体洗浄剤組成物は、アルカリ剤（Ａ）及び界面活性剤（Ｂ）及び分散剤（Ｃ）からなり、分散剤（Ｃ）として少なくとも、上記式（１）で示される繰り返し単位及び上記式（２）で示される繰り返し単位からなる構造を有する重合体を含むため、通常の液体洗浄剤組成物が備える洗浄力に加え、土砂汚れの再付着防止性に優れる。そのため、特に表面に多数の細孔を有するセラミックタイルの洗浄に好適である。
【００１９】
本発明の液体洗浄剤組成物を構成する、アルカリ剤（Ａ）、界面活性剤（Ｂ）及び分散剤（Ｃ）について、それぞれ説明する。
【００２０】
まず本発明の液体洗浄剤組成物を構成するアルカリ剤（Ａ）について説明する。
本発明の液体洗浄剤組成物では、アルカリ剤（Ａ）として、アルカリ金属又はアルカリ土類金属塩を用いることができ、その種類は特に限定されるものではないが、水酸化ナトリウム、水酸化カリウム、炭酸ナトリウム、炭酸カリウム、セスキ炭酸ナトリウム、炭酸水素ナトリウム、炭酸水素カリウム、メタケイ酸ナトリウム、セスキケイ酸ナトリウム、オルソケイ酸ナトリウム、メタケイ酸カリウム、オルソケイ酸カリウム等が挙げられる。これらの中では、水酸化ナトリウム、水酸化カリウムが望ましい。
これらのアルカリ剤（Ａ）は、水和物となっていてもよい。
また、アルカリ剤（Ａ）として、モノエタノールアミン、ジエタノールアミン、トリエタノールアミン等のアルカノールアミンを含んでいてもよい。
【００２１】
アルカリ剤（Ａ）の含有量は、特に限定されないが、１．０〜２５．０重量％であることが望ましく、２．０〜２０．０重量％であることがより望ましく、４．０〜１０．０重量％であることがさらに望ましい。
アルカリ剤（Ａ）の含有量が、１．０重量％未満であるとアルカリ剤（Ａ）の含有量が少なすぎるため、土砂汚れ及びその他の汚れを充分に除去しにくくなる。
アルカリ剤（Ａ）の含有量が、２５．０重量％を超えると低温安定性が悪くなる。
【００２２】
続いて、界面活性剤（Ｂ）について説明する。
本発明の液体洗浄剤組成物としては、界面活性剤（Ｂ）としてノニオン界面活性剤を含むことが望ましく、ノニオン界面活性剤としては、ポリオキシアルキレンアルキルエーテル、プルロニック型ブロックポリマー、リバースプルロニック型ブロックポリマー、テトロニック型ブロックポリマー、リバーステトロニック型ブロックポリマー、ポリオキシアルキレンアルキルフェニルエーテル、ポリオキシアルキレン脂肪酸エステル、ポリオキシアルキレンソルビタン脂肪酸エステル、グリセリン脂肪酸エステル、ポリグリセリン脂肪酸エステル、ソルビタン脂肪酸エステル、ショ糖脂肪酸エステル、アルキルポリグルコシド、ポリオキシエチレンメチルエーテル脂肪酸エステル、プロピレングリコール脂肪酸エステル、ポリオキシエチレンソルビタン脂肪酸エステル、脂肪酸アルカノールアミド、ポリオキシアルキレンアルキルアミン、脂肪酸ジエタノールアミド、キラヤサポニン等が挙げられる。これらの中では、ポリオキシアルキレンアルキルエーテルが望ましい。
【００２３】
ポリオキシアルキレンアルキルエーテルとしては、ポリオキシエチレンアルキルエーテル、ポリオキシエチレンプロピレンアルキルエーテル、ポリオキシプロピレンアルキルエーテル等が挙げられる。また、オキシアルキレン基の繰り返し数は２〜２０であることが望ましく、５〜１０であることがより望ましい。
アルキル基の種類は特に限定されないが、炭素数６〜２０の直鎖又は分岐のアルキル基であることが望ましく、炭素数１０〜１６の直鎖又は分岐のアルキル基であることがより望ましく、炭素数１２〜１３の直鎖又は分岐のアルキル基であることがさらに望ましい。
【００２４】
ノニオン界面活性剤の含有量は、特に限定されないが、１．０〜３０．０重量％であることが望ましく、１．５〜２５．０重量％であることがより望ましく、２．０〜２０．０重量％であることがさらに望ましい。
ノニオン界面活性剤の含有量が１．０重量％未満であると土砂汚れを除去しにくくなる。一方、ノニオン界面活性剤の含有量が３０．０重量％を超えると、洗浄剤組成物が白濁することがある。
【００２５】
界面活性剤（Ｂ）としては、脂肪酸塩及びアルキルアミンオキシドからなる群から選択される少なくとも１種を含むことが望ましい。
脂肪酸塩としては、カプリル酸塩、カプリン酸塩、ラウリン酸塩、ミリスチン酸塩、パルミチン酸塩、ステアリン酸塩、ヤシ油脂肪酸塩、パーム油脂肪酸塩及びこれらの混合物等が挙げられる。
アルキルアミンオキシドとしては、ラウリルジメチルアミンオキシド、トリデシルジメチルアミンオキシド等が挙げられる。
液体洗浄剤組成物がこれらの界面活性剤を含むと、液体洗浄剤組成物の破泡性を向上させることができる。
【００２６】
脂肪酸塩及びアルキルアミンオキシドからなる群から選択される少なくとも１種の含有量は、特に限定されないが、合計で０．１〜１０．０重量％であることが望ましく、０．２〜８．０重量％であることがより望ましく、０．５〜７．０重量％であることがさらに望ましい。
上記含有量が、０．１重量％未満であると洗浄剤組成物の破泡性を充分に向上させることができない場合がある。一方、上記含有量が１０．０重量％を超えると洗浄剤組成物が白濁することがある。
【００２７】
続いて、分散剤（Ｃ）について説明する。
本発明の液体洗浄剤組成物を構成する分散剤（Ｃ）は、少なくとも、下記式（１）で示される繰り返し単位及び下記式（２）で示される繰り返し単位からなる構造を有する重合体を含む。
【化３】
2018002881.tif 000005
【００２８】
上記式（１）において、Ｒ１〜Ｒ４は、それぞれ水素原子又は炭素数１〜９のアルキル基であり、Ｒ１〜Ｒ４の炭素数の合計は３〜９であり、Ｍは水素原子又はアルカリ金属である。
Ｍは水素原子又はアルカリ金属であり、アルカリ金属としてはリチウム、ナトリウム及びカリウムが挙げられ、ナトリウム及びカリウムが望ましい。
分散剤（Ｃ）において、上記式（１）で示される繰り返し単位と上記式（２）で示される繰り返し単位の配置の順番は特に限定されず、交互に配置されていてもよく、ランダムに配置されていてもよく、上記式（１）で示される繰り返し単位が複数個配置された後、上記式（２）で示される繰り返し単位が複数個配置されていてもよい。
すなわち、分散剤（Ｃ）は上記式（１）で示される繰り返し単位となるモノマーと、上記式（２）で示される繰り返し単位となるモノマーとの交互共重合体であってもよく、ランダム共重合体であってもよく、ブロック共重合体であってもよいが、分散性の観点から、交互共重合体が望ましい。
【００２９】
上記式（１）で示される繰り返し単位は、ジイソブチレンに由来する構造であることが望ましい。
【００３０】
上記式（１）で示される繰り返し単位及び上記式（２）で示される繰り返し単位は、全てが同じ構造であってもよく、繰り返し単位毎に異なる構造であってもよい。
上記式（１）で示される繰り返し単位の数と、上記式（２）で示される繰り返し単位の数は、上記式（１）で示される繰り返し単位の数：上記式（２）で示される繰り返し単位の数＝１：２〜２：１であることが望ましく、１：１であることがより望ましい。
【００３１】
分散剤（Ｃ）の重量平均分子量は特に限定されないが、８０００〜１５０００であることが望ましく、１００００〜１２０００であることがより望ましい。
【００３２】
上記式（１）で示される繰り返し単位及び上記式（２）で示される繰り返し単位からなる構造を有する重合体の市販品としては、例えば、ローム・アンド・ハースジャパン（株）製アキュゾール４６０Ｎシリーズ、ＢＡＳＦジャパン（株）製ソカランＣＰ９シリーズ等が挙げられる。
【００３３】
本発明の液体洗浄剤組成物は、アルカリ剤（Ａ）、界面活性剤（Ｂ）及び分散剤（Ｃ）以外の成分（その他の成分）を含んでいてもよい。
その他の成分としては、キレート剤（Ｄ）、水、可溶化剤、消泡剤、濡れ性向上剤、粘度調整剤、腐食防止剤、色粉、安定化剤等が挙げられる。
【００３４】
キレート剤（Ｄ）の種類は特に限定されないが、キレート剤（Ｄ）としては、アミノカルボン酸系、ホスホン酸系、ヒドロキシカルボン酸系、リン酸系、エーテルカルボン酸塩系等が挙げられ、これらを併用してもよい。これらの中では、アミノカルボン酸系キレート剤が望ましい。
キレート剤（Ｄ）の含有量は特に限定されないが、０．１〜５．０重量％であることが望ましい。
【００３５】
アミノカルボン酸系のキレート剤としては、エチレンジアミン四酢酸（ＥＤＴＡ）、ニトリロ三酢酸（ＮＴＡ）、メチルグリシン二酢酸（ＭＧＤＡ）、ジエチレントリアミン五酢酸（ＤＴＰＡ）、ヒドロキシエチルエチレンジアミン三酢酸（ＨＥＤＴＡ）、トリエチレンテトラミン六酢酸（ＴＴＨＡ）、グルタミン酸二酢酸（ＧＬＤＡ）、ヒドロキシエチルイミノ二酢酸（ＨＩＤＡ）、ジヒドロキシエチルグリシン（ＤＨＥＧ）、１，３−プロパンジアミン四酢酸（ＰＤＴＡ）、１，３−ジアミノ−２−ヒドロキシプロパン六酢酸（ＤＰＴＡ−ＯＨ）、アスパラギン酸二酢酸（ＡＳＤＡ）、エチレンジアミンコハク酸（ＥＤＤＳ）又はこれらの塩等が挙げられる。
【００３６】
ホスホン酸系のキレート剤としては、ヒドロキシエチリデンホスホン酸（ＨＥＤＰ）、ニトリロトリメチレンホスホン酸（ＮＴＭＰ）、ホスホノブタントリカルボン酸（ＰＢＴＣ）、エチレンジアミンテトラメチレンホスホン酸（ＥＤＴＭＰ）等が挙げられる。
上記キレート剤はホスホン酸部分の少なくとも一部が塩になっていてもよい。
【００３７】
ヒドロキシカルボン酸系のキレート剤としては、例えば、リンゴ酸、クエン酸、乳酸、酒石酸、グルコン酸又はこれらの塩が挙げられる。
リン酸系のキレート剤としては、トリポリリン酸、ヘキサメタリン酸塩等が挙げられる。
【００３８】
上記キレート剤における塩としては、例えば、カリウム、ナトリウム等のアルカリ金属の塩；マグネシウム、カルシウム等のアルカリ土類金属の塩を挙げることができる。中でも、アルカリ金属の塩が望ましく、ナトリウム塩又はカリウム塩がより望ましい。
また、キレート剤とキレート剤の塩が洗浄剤組成物の中で混在していてもよく、キレート剤が洗浄剤組成物に含まれている場合にその後にナトリウムイオン等が加えられることによって塩となっていてもよい。
【００３９】
可溶化剤としては、１価アルコール類、多価アルコール類等が挙げられる。
１価アルコール類としては、メタノール、エタノール、１−プロパノール、２−プロパノール、１−ブタノール、２−ブタノール、２−メトキシエタノール、２−エトキシエタノール等が挙げられ、多価アルコール類としては、エチレングリコール、プロピレングリコール、ジプロピレングリコール、１，４−ブタンジオール、１，６−ヘキサンジオール、グリセリン、ポリエチレングリコール、ポリプロピレングリコール等が挙げられる。これらの中では、エタノール、プロピレングリコール、グリセリン、ポリエチレングリコール、ポリプロピレングリコール等が望ましく、エタノールがさらに望ましい。
可溶化剤を添加することにより、液体洗浄剤組成物における各主成分の分離、濁りを抑制することができる。
可溶化剤の含有量は特に限定されないが、０．１〜５．０重量％であることが望ましい。
【００４０】
本発明の液体洗浄剤組成物には、水が含まれていてもよい。
水としては、水道水、蒸留水、純水及びイオン交換水等が挙げられ、２種以上を併用してもよい。特に、経済性の点から水道水であることが望ましい。
【００４１】
本発明の液体洗浄剤組成物は、原液のｐＨが１３．０を超え、１４．０以下であることが望ましい。また、水で１００倍に希釈した溶液のｐＨが１０．５〜１２．０であることが望ましい。
【００４２】
本発明の液体洗浄剤組成物を製造する方法について説明する。
本発明の液体洗浄剤組成物を製造する際には、原料となるアルカリ剤（Ａ）、界面活性剤（Ｂ）、分散剤（Ｃ）、その他の成分を所望の比率で混合すればよく、混合する順番は特に限定されない。
【００４３】
本発明の液体洗浄剤組成物を使用する方法は特に限定されないが、必要に応じて水で希釈（１０〜３００倍）した希釈液を自動洗浄機に投入して使用してもよいし、希釈液を洗浄対象に塗布し、しばらく静置した後、ブラシ、モップ、ポリッシャー等でこすり洗いを行い、洗浄後の希釈液（汚水）をスクイジー等で回収してもよい。
本発明の液体洗浄剤組成物を使用する対象は、固体であればよく、例えば、床、壁、屋根、衣服等であってもよい。土砂汚れを洗浄できることから、床に対して好適に用いることができる。床を構成する材料は特に限定されず、セラミックタイルに対しても、樹脂製のタイルに対しても用いることができるが、細孔に侵入した土砂汚れを洗浄できることから、セラミックタイルの洗浄に特に適している。
【実施例】
【００４４】
以下に本発明をより具体的に説明する実施例を示すが、本発明はこれらの実施例に限定されるものではない。なお実施例において、特に断らない限り「部」は「重量部」を「％」は「重量％」をそれぞれ意味する。
【００４５】
（液体洗浄剤組成物の調製）
表１に示す処方に従い、アルカリ剤（Ａ）、界面活性剤（Ｂ）、分散剤（Ｃ）及びその他の成分を混合して、実施例１〜５及び比較例１〜３に係る液体洗浄剤組成物を得た。なお、表中に示す成分は全て純分換算量であり、各成分としては以下のものを用いた。
（Ａ−１）：旭硝子（株）製液体苛性カリ（水酸化カリウム）
（Ａ−２）：日本触媒（株）製モノエタノールアミン（モノエタノールアミン）
（Ａ−３）：旭硝子（株）製液体苛性ソーダ（水酸化ナトリウム）
（Ｂ−１）：第一工業製薬（株）製ノイゲンＸＬ−５０（ポリオキシアルキレン分岐デシルエーテル）
（Ｂ−２）：第一工業製薬（株）製ＤＫＳ  ＮＬ−５０（ポリ（５）オキシエチレンラウリルエーテル）
（Ｂ−３）：第一工業製薬（株）製ノイゲンＬＰ−１００（ポリオキシアルキレンラウリルエーテル）
（Ｂ−４）：青木油脂工業（株）製ファインサーフＴＤ−１００（ポリ（１０）オキシエチレントリデシルエーテル）
（Ｂ−５）：第一工業製薬（株）製ノイゲンＥＴ−１５９（ポリオキシエチレンオレイル／セチルエーテル）
（Ｂ−６）：グローバル・アミンズ・ジャパン（株）製Ｇｅｎａｍｉｎｏｘ１０１４（アルキルアミンオキシド）
（Ｂ−７）：エメリーオレオケミカルズジャパン（株）製ＥＤＥＮＯＲＣ８−９９ＭＹ（カプリル酸）
（Ｂ−８）：協和発酵工業（株）製オクチル酸
（Ｂ−９）：ミヨシ油脂（株）製カプリル酸
（Ｂ−１０）：（株）ＡＤＥＫＡ製アデカノールＢ７２２（アルコールのエチレンオキサイド及びプロピレンオキサイド付加物）
（Ｃ−１）：ローム・アンド・ハースジャパン（株）製アキュゾール４６０ＮＤ
（Ｃ−２）：ＢＡＳＦジャパン（株）製ソカランＣＰ９Ｇ
（Ｃ’−１）：ローム・アンド・ハースジャパン（株）製アキュゾール４４５Ｎ（アクリル酸重合体）
（Ｃ’−２）：ローム・アンド・ハースジャパン（株）製アキュゾール４７９Ｎ（アクリル酸−マレイン酸共重合体）
（Ｄ−１）：アクゾノーベル（株）製ディゾルビンＺ（エチレンジアミン四酢酸）
（Ｄ−２）：昭和化工（株）製クエン酸（無水）（クエン酸）
（Ｄ−３）：ＢＡＳＦジャパン（株）製トリロンＡ９２Ｒ（ニトリロ三酢酸３ナトリウム）
【００４６】
（外観の確認）
調製した実施例１〜５及び比較例１〜３に係る液体洗浄剤組成物を透明容器に入れ、その外観を目視で観察し、濁りの有無を確認し、以下の基準で評価した。結果を表１に示す。
○：濁りがみられない。
×：濁りがみられる。
【００４７】
（希釈液の調整）
実施例１〜５及び比較例１〜３に係る液体洗浄剤組成物を水道水を用いて１００倍に希釈した希釈液を調整し、ｐＨを測定した。希釈前後のｐＨ測定結果を表１に示す。
【００４８】
（分散性試験）
１００倍に希釈した希釈液について、分散性試験を以下の手順で行った。結果を表１に示す。
ＰＰ製透明容器に５００ｇの希釈液、試験用土砂汚れ１ｇを入れ、振り混ぜた。１２時間静置した後の外観を目視し、以下の基準で評価した。実施例１及び比較例３に係る液体洗浄剤組成物の希釈液について、分散性試験を行った結果を図１及び図２に示す。図１は、実施例１に係る液体洗浄剤組成物の分散性試験の写真であり、図２は、比較例１に係る液体洗浄剤組成物の分散性試験の写真である。
○：液全体が濁っており、微細な土砂汚れが液中に分散している。
×：液全体が透明で、容器底部に土砂汚れが沈殿している。
【００４９】
（濡れ性試験）
１００倍に希釈した希釈液について、濡れ性試験を以下の手順で行った。結果を表１に示す。
鏡面仕上げのセラミックタイル［（株）サンワカンパニー製レンカポリッシュ３００ホワイト］及び樹脂製の板の表面に希釈液をそれぞれ０．３ｍＬ滴下し、滴下直後の液滴の面積と１０秒後の液滴の面積を測定し、同量の純水を滴下したときの面積との比（液滴面積比）から濡れ性を以下の基準で判定した。
○：液滴面積比が２００％以上であり、濡れ性が良好。
△：液滴面積比が１８０％以上２００％未満であり、濡れ性が許容範囲。
×：液滴面積比が１８０％未満であり、濡れ性が不充分。
【００５０】
（土砂汚れ洗浄性試験）
セラミックタイル及び樹脂タイルの表面に、試験用土砂汚れとキャノーラ油の１：１混合物（重量比）１ｍＬを薄く塗り広げた。その後、実施例１〜５及び比較例１〜３に係る液体洗浄剤組成物を水道水で１００倍に希釈した希釈液１ｍＬを、上記塗り広げられた汚れの上に滴下し、３０秒後にウェスで軽く拭きあげた。
希釈液が付着していた領域の汚れを目視で観察して、希釈液が付着しなかった領域と比較し、汚れの程度を以下の基準で判定した。結果を表１に示す。
◎：汚れが全く確認できない。
○：僅かに汚れが確認できる。
△：少し汚れが確認できる。
×：汚れが確認できる。
【００５１】
【表１】
2018002881.tif 000006
【００５２】
表１の結果より、本発明の液体洗浄剤組成物は、セラミックタイルや樹脂タイル等の床に対して優れた洗浄力を発揮すること、及び、セラミックタイルの土砂汚れに対して特に優れた洗浄力を発揮することがわかった。
【図１】
2018002881.tif 000009
【図２】
2018002881.tif 000010